(57)【要約】【課題】  遊技盤ユニットの不正な取り外しを確実に防止することができる遊技機を提供する。【解決手段】  紐状の回動禁止部材３６の一端が固着されている楔部材３０を第２内レール２８に回動自在に組み込む。ガイドレール枠１９を遊技盤ユニット１６に取り付ける際に、楔部材３０を楔部材挿通孔４ｄ、挿通孔１８ａの順に挿通させてから、楔部材３０の係合部３３をキーシリンダー５３の略十字状に形成されている挿通開口５４ａから本体部５４に挿入し、係合部３３を本体部５４の内部に設けられている係止爪５４ｂに係止させる。回動禁止部材３６の他端に設けられている封止部材４１の封止部４７を穴部４８に嵌め込む。回動禁止部材３６の長さは、楔部材３０を９０度以上回動させることができないような長さに設定されているので、楔部材３０の回動量は回動禁止部材３６によって９０度未満に制限される。【選択図】        図９
2006094941.tif 000002
【特許請求の範囲】
【請求項１】
遊技領域が形成された遊技盤を有する遊技盤ユニットと、前記遊技盤ユニットが着脱自在に取り付けられる本体基部とを備えた遊技機において、
前記遊技盤ユニットに前記遊技領域とは反対側となる前記遊技盤ユニットの背面側に突出する楔部材を回動自在に設け、
前記本体基部に前記楔部材を挿入することにより、前記楔部材を挿入方向と反対方向に脱不可状態に係止する係止部を設けるとともに、前記楔部材を所定量回動することにより、前記係止を解除して前記楔部材を前記本体基部から脱可能状態にする係止解除部を設け、
前記遊技盤ユニットに複数の穴部を形成し、
一端を前記楔部材に固着状態とし、他端を前記穴部に挿入することで脱不可状態に係止する封止部を設け、前記封止部を前記穴部に挿入することにより前記楔部材が前記所定量回動することを禁止する紐状の回動禁止部材を前記穴部のそれぞれに対応するように複数設けたことを特徴とする遊技機。
【請求項２】
前記遊技盤ユニットは、前記遊技盤と、前記遊技盤の前記遊技領域側で前記遊技盤に着脱可能に設けられた構造物とを備え、前記構造物に、前記遊技盤の背面側に突出する前記楔部材を回動自在に設けるとともに、前記穴部を形成したことを特徴とする請求項１記載の遊技機。
【発明の詳細な説明】
【技術分野】
【０００１】
本発明は、パチンコ店などの遊技場に設置して使用される遊技機に関するものである。
【背景技術】
【０００２】
パチンコ店などの遊技場に設置して使用される遊技機であるパチンコ機は、遊技媒体であるパチンコ球に一定の価値が与えられて、ゲームを行って獲得したパチンコ球を種々の景品に交換することができる。パチンコ機は、遊技盤の背面や遊技盤を装着させる本体基部に、パチンコ球の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。
【０００３】
最近のパチンコ機の内部に配設されている制御回路装置は、基板上に設けられたＣＰＵ（ｃｅｎｔｒａｌ  ｐｒｏｃｅｓｓｉｎｇ  ｕｎｉｔ）が、制御プログラムに従って電子制御を行うものが一般的である。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
ところで、遊技場でパチンコ機の入替を行うときには、取り付け枠を含む本体基部ごと取り外して交換することが通常である。しかし、パチンコ機を構成する部品には、そのまま流用可能なものも含まれているのが実情で、機種入替時のコストアップの大きな原因となっている。このため、流用可能な部品を遊技場に据え置きにし、新たに変更になる部品のみを交換することが現在検討されている。この場合、本体基部、遊技の際の基本動作を行うパチンコ球発射装置や払い出し装置、演出効果を行うランプやスピーカを遊技場に据え置きにし、遊技盤、図柄可変表示装置、制御回路装置などをユニット化した遊技盤ユニットを交換することが一般的に考えられる。このため、遊技盤ユニットは、本体基部に着脱可能となっている。
【０００５】
しかし、遊技盤ユニットは本体基部に着脱可能なため、遊技盤ユニットを不正に取り外し、各種入賞口や入賞球装置、障害釘などが改変された不正な遊技盤ユニットに取り替えられることがあった。また、遊技盤ユニットを取り外すと制御回路装置が露呈されるため、遊技盤ユニットを不正に取り外し、本体基部内部または遊技盤ユニットの背面に取り付けられた制御回路装置の制御プログラムが不正に改変されてしまうという問題があった。
【０００６】
現在、この問題を解決する方法として、例えば、楔状に形成された連結部材（楔部材）によって本体基部と遊技盤ユニットとを継合するという方法が検討されている。この方法によると、本体基部と遊技盤ユニットとの継合を解除する場合、連結部材を破壊し、連結部材の再使用を不可能にすることができる。これにより遊技盤ユニットを不正に取り外して制御回路装置に違法な細工を施すといった不正行為を防止することができる。
【発明の開示】
【発明が解決しようとする課題】
【０００７】
しかしながら、本体基部や遊技盤ユニットに組み込まれている制御回路装置の修理又はメンテナンス作業を行うにあたって連結部材を破壊すると、その都度新しい連結部材を用意しなければならず、コストが増大してしまうといった問題が生じる。また、連結部材を破壊して遊技盤ユニットを不正に取り外し、偽造した連結部材によって再び遊技盤ユニットと本体基部とが継合された場合、遊技盤ユニットが不正に取り外れたか否かを識別することができないといった問題が生じる。さらに、上述したような連結部材を用いた場合、修理又はメンテナンス作業の行われた回数を識別することができないといった問題が生じる。
【０００８】
本発明は、上記課題を解決するためになされたものであり、遊技盤ユニットの不正な取り外しを確実に防止することができ、また、遊技盤ユニットが取り外れた回数を容易に確認することができる遊技機を提供することを目的とする。
【課題を解決するための手段】
【０００９】
上記目的を達成するために、本発明の遊技機は、遊技領域が形成された遊技盤を有する遊技盤ユニットと、前記遊技盤ユニットが着脱自在に取り付けられる本体基部とを備えたものであり、前記遊技盤ユニットに前記遊技領域とは反対側となる前記遊技盤ユニットの背面側に突出する楔部材を回動自在に設け、前記本体基部に前記楔部材を挿入することにより、前記楔部材を挿入方向と反対方向に脱不可状態に係止する係止部を設けるとともに、前記楔部材を所定量回動することにより、前記係止を解除して前記楔部材を前記本体基部から脱可能状態にする係止解除部を設け、前記遊技盤ユニットに複数の穴部を形成し、一端を前記楔部材に固着状態とし、他端を前記穴部に挿入することで脱不可状態に係止する封止部を設け、前記封止部を前記穴部に挿入することにより前記楔部材が前記所定量回動することを禁止する紐状の回動禁止部材を前記穴部のそれぞれに対応するように複数設けたことを特徴とする。
【００１０】
前記遊技盤ユニットは、前記遊技盤と、前記遊技盤の前記遊技領域側で前記遊技盤に着脱可能に設けられた構造物とを備え、前記構造物に、前記遊技盤の背面側に突出する前記楔部材を回動自在に設けるとともに、前記穴部を形成することが好ましい。
【発明の効果】
【００１１】
本発明の遊技機よれば、遊技盤ユニットに遊技領域とは反対側となる遊技盤ユニットの背面側に突出する楔部材を回動自在に設け、本体基部に楔部材を挿入することにより、楔部材を挿入方向と反対方向に脱不可状態に係止する係止部を設けるとともに、楔部材を所定量回動することにより、係止を解除して楔部材を本体基部から脱可能状態にする係止解除部を設け、遊技盤ユニットに複数の穴部を形成し、一端を楔部材に固着状態とし、他端を穴部に挿入することで脱不可状態に係止する封止部を設け、封止部を穴部に挿入することにより楔部材が所定量回動することを禁止する紐状の回動禁止部材を穴部のそれぞれに対応するように複数設けることにより、遊技盤ユニットを本体基部に取り付けるときに、複数ある回動禁止部材の中から所定の回動禁止部材を選択して、その回動禁止部材に対応している穴部に封止部を挿入し、遊技盤ユニットを本体基部から取り外すときに、回動禁止部材を破壊してから楔部材と係止部との係止を解除して遊技盤を本体基部から取り外すようにしたので、回動禁止部材が破壊された痕跡により遊技盤ユニットが本体基部から取り外されたことを容易且つ確実に確認することができる。これにより遊技盤ユニットの不正な取り外しを防止することができる。また、穴部に差し込まれている封止部から遊技盤ユニットが本体基部から取り外された回数を確認することができ、これにより修理やメンテナンス作業の回数を容易に知ることができる。さらに、所定の穴部に所定の封止部が挿入されているか否かを確認することにより、遊技盤ユニットが不正に取り外されたか否かを容易に識別することができる。よって、遊技盤ユニットの不正な取り外しを防止することができる。
【００１２】
遊技盤ユニットは、遊技盤と、遊技盤の遊技領域側で遊技盤に着脱可能に設けられた構造物とを備え、構造物に、遊技盤の背面側に突出する楔部材を回動自在に設けるとともに、穴部を形成したので、構造物を遊技盤から取り外すことにより楔部材を容易に取り外すことができる。これにより楔部材の交換作業を効率良く、且つ低コストに行うことができる。
【発明を実施するための最良の形態】
【００１３】
図１に示すように、パチンコ機（遊技機）２は、本体基部３の内部に遊技盤４が配設されており、本体基部３の前面には前面扉５が開閉自在に取り付けられている。前面扉５の下方には、打球供給用の供給皿６及びパチンコ球７の打ち出し強さを調節する操作ハンドル８が設けられている。
【００１４】
遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、アタッカ１２、アウト口１３、飾り１４が設けられている。また、遊技盤４の略中央には、センター役物１５が設けられており、センター役物１５に形成された開口１５ａを介して、図柄可変表示装置９を視認することができる。
【００１５】
遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０, １１及びアタッカ１２のいずれかに入るか、あるいはアウト口１３から回収される。なお、パチンコ機２の遊技領域４ａに設けられている複数の釘、風車などの構造体は公知であるので説明は省略する。
【００１６】
図２に示すように、前面扉５は、本体基部３の前面に開閉自在に取り付けられている。前面扉５の内側には、視認可能なガラスが取り付けられている。なお、前面扉５が閉じているロック状態であるときには、遊技者や遊技場の作業者は、ガラスを通して遊技盤４の遊技領域４ａを流下していくパチンコ球７を見ることはできるが、遊技盤４にはもちろんのこと本体基部３の内部にも触れることができないようになっている。
【００１７】
図３に示すように、本体基部３には、略矩形状の開口３ｂが形成された略矩形状の枠体である遊技盤ユニット取り付け部３ａが設けられている。遊技盤ユニット１６は、遊技盤ユニット取り付け部３ａに交換可能に係止されており、遊技盤ユニット取り付け部３ａに遊技盤ユニット１６が取り付けられた際には、開口３ｂに後述する制御回路装置２１が嵌め込まれる。
【００１８】
遊技盤ユニット係止部材１７は、係止部１７ａと円柱状の回動支持軸１７ｂとから構成されている。係止部１７ａは、略楕円状に形成されている。係止部１７ａは回動支持軸１７ｂの一端に回動自在に軸着されており、回動支持軸２６の他端は遊技盤ユニット取り付け部３ａに固着されている。回動支持軸１７ｂのうち、係止部１７ａと遊技盤ユニット取り付け部３ａとの間に露呈されている部位の長さは遊技盤４の厚さｔよりもやや長くなっている。
【００１９】
図３及び図６に示すように、遊技盤ユニット１６は、遊技盤４、支持体１８及びガイドレール枠（構造物）１９を備え、詳しくは後述するが、遊技盤４は、支持体１８とガイドレール枠１９との間に配され、支持体１８とガイドレール枠１９とで挟持された状態となる。
【００２０】
遊技盤４の右側端部の上側端部及び下側端部には、遊技盤ユニット係止部材１７が挿通され、遊技盤ユニット係止部材１７を係止するための係止部材係止孔４ｂが形成されている。係止部材係止孔４ｂは遊技盤ユニット係止部材１７が挿通可能な大きさで、係止部１７ａと係止可能となるように形成されている。遊技盤４の四隅には、後述するガイドレール枠係止部材２２を係止するための係止部材挿通孔４ｃが形成されている。係止部材挿通孔４ｃはガイドレール枠係止部材２２が挿通可能な大きさで、後述する係止つまみ２４が係止可能となるように形成されている。遊技盤４の右側端部には後述する楔部材３０が挿通される楔部材挿通孔４ｄが形成されている。
【００２１】
図４に示すように、遊技盤ユニット１６を本体基部６に取り付ける際には、遊技盤ユニット係止部材１７の係止部１７ａは長手方向が鉛直方向に向けられた取付位置にセットされる。遊技盤４の遊技領域４ａの反対側となる遊技盤４の背面側から、遊技盤ユニット係止部材１７の係止部１７ａが係止部材係止孔４ｂに挿通され、係止部１７ａが回動自在となるように係止部材係止孔４ｂから突出する。
【００２２】
図５に示すように、係止部１７ａが係止部材係止孔４ｂから突出した状態でその長手方向が水平となるように９０度回動されると、係止部１７ａは、本体基部３と遊技盤ユニット１６とを一体に保持する保持位置にセットされる。係止部１７ａは、保持位置への回動によって、係止部材係止孔４ｂと係合し、係止部材係止孔４ｂから挿脱不能となり、遊技盤ユニット１６を係止する。
【００２３】
図６に示すように、支持体１８は略板状に形成されており、支持体１８の前面には複数のリブ１８ａが設けられ、これらリブ１８ａにより球通路１８ｂが形成される。遊技を行った際に各入賞口１０, １１、アタッカ１２及びアウト口１３に入ったパチンコ球７は、リブ１８ａにより形成された球通路１８ｂを通過して所定の受け部に誘導される。支持体１８の背面には、図柄可変表示装置９の他に、パチンコ機２に組み込まれている各種装置の駆動を制御する制御回路装置２１が設けられている。支持体１８の右側端部には、後述する楔部材３０が挿通される挿通孔１８ｃが形成されている。
【００２４】
支持体１８の四隅にはガイドレール枠係止部材２２が設けられている。ガイドレール枠係止部材２２は、遊技盤ユニット係止部材１７とほぼ同様の構成になっているので詳しい説明は省略するが、ガイドレール枠係止部材２２は、円柱状の軸部２３と、軸部２３の先端部に回動自在に設けられた係止つまみ２４とから構成されている。係止つまみ２４を、遊技盤４の係止部材挿通孔４ｃ及びガイドレール枠１９のつまみ係止孔２５ｃを挿通した後に、つまみ係止孔２５ｃに対して水平位置から鉛直位置へと略９０度回動することで、遊技盤４を挟持した状態で支持体１８とガイドレール枠１９との係止を行うことができる。
【００２５】
ガイドレール枠１９は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出されたパチンコ球７を遊技領域４ａに向けて誘導するためのガイド部２５ａとなる。また、枠本体２５の中央には、遊技におけるパチンコ球７の移動を規制するための開口２５ｂが形成され、その下方に各入賞口１０, １１及びアタッカ１２のいずれにも入賞しなかったパチンコ球７を所定の受け部に導くためのアウト口２９の前面装飾２９ａが形成されている。なお、外レール２６、第１内レール２７及び第２内レール２８は、それぞれ図示しないビス等により枠本体２５に組み付け固定される。
【００２６】
枠本体２５の四隅には、支持体１８に設けられたガイドレール枠係止部材２２を挿通し、挿通したガイドレール枠係止部材２２の係止つまみ２４を係止するためのつまみ係止孔２５ｃが形成されている。第１内レール２７の下側端部には、つまみ係止孔２５ｃから突出した係止つまみ２４を回動（操作）可能に露呈するためのつまみ露呈溝２７ｂが形成されている。第２内レール２８の下側端部には、つまみ係止孔２５ｃから突出した係止つまみ２４を回動（操作）可能に露呈するためのつまみ露呈開口２８ｂが形成されている。つまみ露呈開口２８ｂから露呈された係止つまみ２４を回動操作することにより、ガイドレール枠１９を遊技盤４に対して着脱自在に設けることが可能となる。
【００２７】
第２内レール２８には楔部材３０が設けられている。楔部材３０は本体基部３と遊技盤ユニット１６とを継合するためのものである。図７に示すように、楔部材３０は、略円柱形状の第１、第２軸部３１、３２、係合部３３、鍔部３４、及び操作つまみ部３５から構成されており、これらは樹脂で一体に成形されている。第１軸部３１、第２軸部３２は軸心が同一となるように形成されている。係合部３３は、第１軸部３１の先端部の外周面３１ａに一対のテーパ状の突起となるように設けられている。鍔部３４は、前記軸心を中心にして略円環状に形成されており、第１軸部３１と第２軸部３２との間に設けられている。
【００２８】
図９に示すように、鍔部３４は、第２内レール２８に形成されている溝２８ｃに、第１、第２軸部３１、３２の軸心を中心にして回動自在となるように嵌め込まれており、第２軸部３２と操作つまみ部３５とが第２内レール２８に形成されている開口２８ｄから露呈されている。これにより、操作つまみ部３５を摘んで楔部材３０を回動させることが可能となる。なお、特に図示しないが、第２内レール２８は複数の成形品から構成されており、第２内レール２８の溝２８ｃ及び開口２８ｄは、複数の成形品を接合することによって形成される。楔部材３０を第２内レール２８に組み込む場合、成形品同士を接合する前に溝２８ｃに楔部材３０の鍔部３４を嵌め入れ、その後に成形品同士を接合することにより、楔部材３０を第２内レール２８に回動自在に組み込むことができる。
【００２９】
楔部材３０が第２内レール２８に組み込まれると、楔部材３０の第１軸部３１が第２内レール２８の背面２８ｅ側に突出する。また、第２内レール２８が遊技盤４に組み付けられる際、楔部材３０が、遊技盤４の楔部材挿通孔４ｄ、支持体１８の挿通孔１８ｃに順次に挿通されると、第１軸部３１は、遊技盤４の遊技領域４ａとは反対側となる遊技盤ユニット１６の背面１６ａ側に突出する。
【００３０】
図７に示すように、第２軸部３２には紐状の回動禁止部材３６〜４０が設けられている。回動禁止部材３６〜４０は、後述する封止部材４１〜４５を穴部４８〜５２に嵌め込んだ際に、楔部材３０が第２軸部３１、３２の軸心を中心にして９０度（所定量）以上回動することを禁止するためのものである。回動禁止部材３６〜４０は、それぞれの長さが異なるように形成されており、回動禁止部材３６〜４０のそれぞれは後述する穴部４８〜５２に順次に対応するように第２軸部３２に設けられている。回動禁止部材３６〜４０の一端は第２軸部３２に固着されている。回動禁止部材３６〜４０のそれぞれの長さは、後述する封止部材４１〜４５を穴部４８〜５２に嵌め込んでから操作つまみ部３５を摘んで楔部材３０を回動させようとした際に、楔部材３０を９０度（所定量）以上回動させることができないような長さに設定されている。なお、回動禁止部材３６〜４０及び後述する回動禁止部材３６〜４０は、楔部材３０とともに一体成形するようにしても良い。
【００３１】
回動禁止部材３６〜４０の他端には、封止部材４１〜４５が設けられている。以下、封止部材４１〜４５は同様の構成になっているので、封止部材４１を例に挙げて説明する。図７及び図９に示すように、封止部材４１は、回動禁止部材３６とともに一体成形された樹脂成形品であり、円盤状の台座４６と封止部４７とから構成されている。台座４６の側周面４６ａは回動禁止部材３６の他端に固着されている。
【００３２】
封止部４７は碇状に形成されている。封止部４７は軸４７ａと係止片４７ｂとからなり、円柱状の軸４７ａの基端が台座４６の上面４６ｂに固着されており、軸４７ａの先端の両側に、その軸心方向に向かって弾性変形する一対の係止片４７ｂが形成されている。軸４７ａの外径は、後述する穴部４８の挿入口４８ａの直径αよりも小さく設定されており、係止片４７ｂは、封止部４７を穴部４８に挿通可能にする挿通可能位置と、封止部材４１を穴部４８に挿通して収容部４８ｂに収容した際、挿通方向とは反対の方向に脱不可状態となるように挿入口４８ａの収容部４５側の縁に係止する係止可能位置との間で弾性変形するように構成されている。なお、特に図示しないが、台座４６の下面４６ｃには、「１」という数字が書かれている。同様にして、封止部材４２〜４５の台座の下面には、順次に２〜５の数字が書かれている。
【００３３】
図３、図６、及び図９、１０に示すように、第２内レール２８の楔部材３０が設置されている箇所の上方には、鉛直方向で下方から順に穴部４８〜５２が形成されている。以下、穴部４８〜５２は同様の構成になっているので、穴部４８を例に挙げて説明する。図９に示すように、穴部４８は、封止部材４１の封止部４７が挿入可能な大きさに形成された挿入口４８ａと、この挿入口４８ａに連通しており、挿入口４８ａから挿入された封止部４７が収容される収容部４８ｂとから構成されている。挿入口４８ａの直径αは封止部４７の軸４７ａの外径よりも大きく設定されている。これにより、封止部材４１の封止部４７が穴部４８に挿入されると、封止部４７の係止片４７ｂが、穴部４８の収容部４８ｂ側の縁に、挿入方向とは反対の方向に脱不可状態に係止する。同様にして、穴部４９には封止部材４２の封止部が、穴部５０には封止部材４３の封止部が、穴部５１には封止部材４４の封止部が、穴部５２には封止部材４５の封止部が挿入される。
【００３４】
図３に示すように、遊技盤ユニット取り付け部３ａの右側端部の２つの遊技盤ユニット係止部材１７の間にはキーシリンダー５３が設けられている。図８に示すように、略円筒状の本体部５４と、遊技盤ユニット取り付け部３ａへの取り付け用の取り付け鍔部５５とから構成されている。遊技盤ユニット取り付け部３ａには、キーシリンダー５３の本体部５４を嵌め込むための取付孔３ｃと、キーシリンダー５３をビス締め固定して取り付けるためのビス締め孔３ｄとが形成されている。取り付け鍔部５５には、ビス締め孔３ｃに対応する位置にビス締め孔５５ａが形成されている。キーシリンダー５３を取付孔３ｃに嵌め込み、ビス締め孔３ｃとビス締め孔５５ａとをビス５６によりビス締め固定することにより、キーシリンダー５３が遊技盤ユニット取り付け部３ａに固定される。
【００３５】
本体部５４には、楔部材３０が挿通される挿通開口５４ａが形成されている。挿通開口５４ａは、略十字形状で形成されている。略十字形状の鉛直方向の開口は、楔部材３０をキーシリンンダー５３に挿入するときに、楔部材３０の係合部３３が通過可能となる大きさに形成されており、略十字形状の水平方向の開口は、キーシリンンダー５３から楔部材３０を引き抜くときに、楔部材３０の係合部３３が通過可能となる大きさに形成されている。
【００３６】
本体部５４の内部には、楔部材３０が挿通された際に、係合部３３と係合する係止爪（係止部）５４ｂが、挿通開口５４ａの上下の縁から本体部５４の内部に向かって突出するように設けられている。楔部材３０の係合部３３がキーシリンダー５３の本体部５４の内部に挿入されると（図１０参照）、楔部材３０が挿入方向とは反対の方向に脱不可状態になるように、係合部３３が係止爪５４ｂに当接することで係止する。この状態から楔部材３０が９０度（所定量）回動されると、係合部３３は、係止爪５４ｂとの係止を解除する係止解除部５４ｃの位置に到達する。係止解除部５４ｃとは、本体部５４の内部のうち、挿通開口５４ａにおける略十字形状の水平方向の開口に対向している箇所のことであり、係合部３３が係止爪５４ｂとの当接を回避する係止解除部５４ｃに到達すると、楔部材３０はキーシリンンダー５３から脱可能状態になる。楔部材３０が脱可能状態になると、キーシリンンダー５３から楔部材３０の係合部３３を引き抜くことが可能となる。
【００３７】
キーシリンダー５３は、弾性変形可能な樹脂により成形されており、係止爪５４ｂの内壁面は、図１０に示すように、楔部材３０の挿通時に、係合部３３と当接することによって先端側の口径が拡大するように弾性変形する形状に形成されている。
【００３８】
上記のように構成されたパチンコ機２の作用について説明する。遊技盤ユニット１６を組み立てるにあたって、先ず、遊技盤４と支持体１８とをビス締め固定することにより一体化させる。次に、支持体１８に設けられたガイドレール枠係止部材２２の係止つまみ２４を、遊技盤４の係止部材挿通孔４ｃ、ガイドレール枠１９のつまみ係止孔２５ｃに順次に挿通させ、つまみ露呈開口２８ｂから露呈させるとともに、図９に示すように、ガイドレール枠１９に設けられている楔部材３０を、遊技盤４の楔部材挿通孔４ｄ、支持体１８の挿通孔１８ｃに順次に挿通させる。そして、つまみ露呈開口２８ｂから露呈している係止つまみ２４を回動操作することにより、遊技盤４、支持体１８、及びガイドレール枠１９を一体化させる。
【００３９】
このようにして組み立てられた遊技盤ユニット１６を本体基部６に取り付ける場合、先ず、遊技盤ユニット係止部材１７の係止部１７ａを取付位置にセットする（図４参照）。そして、遊技盤ユニット１６の背面１６ａ側から係止部１７ａを係止部材係止孔４ｂに挿通させ、遊技領域４ａ側に突出させるとともに、遊技盤ユニット１６の背面１６ａ側から突出している楔部材３０をキーシリンダー５３に挿入する。図１０に示すように、係合部３３がキーシリンダー５３の本体部５４に挿入されると、係合部３３が係止爪５４ｂに係止し、楔部材３０が挿入方向とは反対の方向に脱不可状態となる。そして、係止部１７ａを回動操作して保持位置にセットすると（図５参照）、係止部１７ａは、係止部材係止孔４ｂと係合し、係止部材係止孔４ｂから挿脱不能となり、遊技盤ユニット１６が本体基部４に固定された状態となる。
【００４０】
このようにして遊技盤ユニット１６を本体基部６に取り付けた後、封止部材４１の封止部４７を穴部４８に嵌め込む。封止部４７を穴部４８に嵌め込むと、封止部４７の係止爪４７ｂが、挿入口４８ａの収容部４８ｂ側の縁に、挿入方向とは反対の方向に脱不可状態に係止する。これにより、楔部材３０の回動量が回動禁止部材３６によって９０度未満に制限されるので、楔部材３０が９０度以上回動できない状態となる。すなわち、楔部材３０を脱不可状態から脱可能状態に移行させることができない状態となる。これにより、遊技盤ユニット１６の不正な取り外しを防止することができる。
【００４１】
遊技盤ユニット１６を本体基部３から取り外す場合、先ず、回動禁止部材３６をニッパなどの切断工具を用いて切断する。次に、楔部材３０の操作つまみ部３５を摘んで楔部材３０を９０度回動させ、係合部３３と係止爪５４ｂとの係止を解除する。そして、楔部材３０の係合部３３をキーシリンダー５３から引き抜くようにして、遊技盤ユニット１６を本体基部３から取り外す。これにより、仮に、回動禁止部材３６が切断され、遊技盤ユニット１６が不正に取り外されたとしても、回動禁止部材３６を切断した痕跡が残されるので、遊技盤ユニット１６が不正に取り外されたことを容易に確認することができる。
【００４２】
遊技盤ユニット１６を再び本体基部３に取り付ける場合、上述した手順で遊技盤ユニット１６を本体基部３に取り付けた後、封止部材４２を穴部４９に差し込む。遊技盤ユニット１６を再び本体基部３から取り外す場合には、回動禁止部材３７を切断してから上述した手順で遊技盤ユニット１６を本体基部３から取り外す。以後、同様にして、遊技盤ユニット１６を本体基部３に取り付ける度に、封止部材４３〜４５を穴部５０〜５２に順次に差し込み、遊技盤ユニット１６を本体基部３から取り外す度に、回動禁止部材３８〜４０を順次に切断する。
【００４３】
これにより、封止部材４１〜４５のうち、どの封止部材が穴部に差し込まれているかを目視するだけで遊技盤ユニット１６が本体基部３から取り外された回数を容易に確認することができる。また、台座４６の下面４６ｃには数字が書かれているので、その数字によって遊技盤ユニット１６が本体基部３から取り外された回数を知ることができる。さらに、穴部に嵌め込まれているはず封止部材が嵌め込まれていない場合、あるいは、穴部に嵌め込まれていないはずの封止部材が嵌め込まれていた場合には、遊技盤ユニット１６が不正に取り外された可能性があることを容易に認識することができる。例えば、修理やメンテナンスなどで、過去に１度も遊技盤ユニット１６を本体基部３から取り外したことがないにも関わらず、封止部材４２が穴部４９に嵌め込まれていた場合には、遊技盤ユニット１６が不正に取り外された可能性があると認識することができる。
【００４４】
上記実施形態では、第２内レール２８に、穴部４８〜５２を形成し、楔部材３０を設けたが、遊技盤４に穴部４８〜５２を形成し、楔部材３０を設けるようにしても良い。
【００４５】
上記実施形態では、穴部４８〜５２を鉛直方向に形成したが、これに限ることなく、穴部４８〜５２を形成する箇所は適宜に決定すれば良い。
【００４６】
上記実施形態では、遊技盤４に楔部材挿通孔４ｄを形成し、楔部材３０を楔部材挿通孔４ｄ、支持体１８の挿通孔１８ｃの順に挿通させたが、楔部材挿通孔４ｄの代わりに遊技盤４の縁に切り欠きを形成し、楔部材３０をその切り欠きを介して挿通孔１８ｃに挿通させるようにしても良い。
【００４７】
上記実施形態では、回動禁止部材３６〜４０を設けたが、回動禁止部材の設置数は適宜に変更可能である。
【００４８】
上記実施形態では、楔部材３０の第２軸部３２に回動禁止部材３６〜４０を設けたが、回動禁止部材３６〜４０の設置箇所は、楔部材３０の遊技領域４ａ側に露呈されている箇所であればどのような箇所に設置されていても良く、例えば、操作つまみ部３５に取り付けられていても良い。
【００４９】
上記実施形態では、回動禁止部材３６〜４０が紐状に形成されているとしたが、紐状とは、柔軟性のある棒状のものも含み、その柔らかさや形状、長さなどは、穴部４８〜５２と係着させる関係において適宜に設定すれば良い。
【図面の簡単な説明】
【００５０】
【図１】本発明を実施したパチンコ機の外観を示す斜視図である。
【図２】前面扉を開放した状態を示す斜視図である。
【図３】本体基部及び遊技盤ユニットを示す斜視図である。
【図４】係止部が取り付け位置にセットされた状態を示す正面図である。
【図５】係止部が保持位置にセットされた状態を示す正面図である。
【図６】遊技盤ユニットの構成を分解して示す斜視図である。
【図７】楔部材の構成を示す斜視図である。
【図８】キーシリンダーの構成を示す斜視図である。
【図９】楔部材をキーシリンダーに挿入するときの楔部材、第２内レール、遊技盤、支持体、及びキーシリンダーとその近傍を示す断面図である。
【図１０】楔部材をキーシリンダーに挿入したときの楔部材、第２内レール、遊技盤、支持体、及びキーシリンダーとその近傍を示す断面図である。
【符号の説明】
【００５１】
２    パチンコ機（遊技機）
３    本体基部
４    遊技盤
４ａ    遊技領域
１６    遊技盤ユニット
１６ａ    背面
１９    ガイドレール枠（構造物）
３０    楔部材
３６〜４０    回動禁止部材
４１〜４５    封止部材
４７    封止部
５４ｂ    係止爪（係止部）
５４ｃ    係止解除部
４８〜５２    穴部
【図１】
2006094941.tif 000003
【図２】
2006094941.tif 000004
【図３】
2006094941.tif 000005
【図４】
2006094941.tif 000006
【図５】
2006094941.tif 000007
【図６】
2006094941.tif 000008
【図７】
2006094941.tif 000009
【図８】
2006094941.tif 000010
【図９】
2006094941.tif 000011
【図１０】
2006094941.tif 000012